(57)【要約】      （修正有）【課題】メガネのフロント部正面に前掛けフレームを重ね合せて取付ける前掛け式メガネを提供する。【解決手段】フロント部２の連結部材６の上に前掛けフレーム１４の連結部材１６を載置し、該連結部材６，１６は互いに噛み合うことが出来る凹部と凸部を形成し、そして両連結部材６，１６が離れないように、少なくとも片方に磁石を取付けている。【選択図】図５
0003184596.tif 000002
【実用新案登録請求の範囲】
【請求項１】
メガネのフロント部正面に前掛けフレームを重ね合せて取付ける前掛け式メガネにおいて、フロント部の連結部材の上に前掛けフレームの連結部材を載置し、該連結部材は互いに噛み合うことが出来る凹部と凸部を形成し、そして両連結部材が離れないように、少なくとも片方に磁石を取付けたことを特徴とする前掛け式メガネ。
【請求項２】
上記凸部の形状を四方側面を傾斜した角錐台形とし、そして上記凹部の四方側面を傾斜した請求項１記載の前掛け式メガネ。
【考案の詳細な説明】
【技術分野】
【０００１】
本考案はメガネのフロント部正面に前掛けフレームをワンタッチで安定して取付けることが出来る前掛け式メガネに関するものである。
【背景技術】
【０００２】
従来においても、メガネのフロント部正面に前掛けフレームを取付けたメガネは多用されている。これは周知の通り、近眼の人がサングラスを必要とする場合や、老眼であるにもかかわらず近眼でもあるといったケースは多く、このような場合に近眼用のメガネにサングラスの前掛けフレームを取付けたり、近眼用のメガネに老眼用レンズを入れた前掛けフレームを使用するといった具合である。
【０００３】
ところで、従来型式の前掛けフレームを備えた前掛け式メガネには幾つかの問題がある。その１つは取付け構造が複雑である為に製作コストが高くなると共に、嵌合状態があまくなってガタ付きを生じ、前掛けフレームが安定しないといった点である。
【０００４】
図１０は従来多用されている前掛け式メガネフレームを示し、（ａ）はメガネフレーム、（ｂ）は上記メガネフレーム（イ）のフロント部（ハ）に取付けられる前掛けフレーム（ロ）を表している。フロント部（ハ）の両側に設けているヨロイ（ニ）、（ニ）には磁石（ホ）、（ホ）が取着され、前掛けフレーム（ロ）の両側に設けているヨロイ（ヘ）、（ヘ）にも同じく磁石（ト）、（ト）を有している。
【０００５】
そこで、上記前掛けフレーム（ロ）はフロント部（ハ）の正面に重ね合わされ、磁石（ホ）に磁石（ト）が引き付けられて取着される。勿論、磁石（ホ）、（ト）を介して取付けられる前掛けフレーム（ロ）が位置ズレしないように何らかの工夫はされている。実用新案登録第３０８１２７１号に係る「めがね」はこの前掛け式メガネフレームに相当する。
【０００６】
また、特許第２９９７４１８号に係る「着脱眼鏡取付装置」はフロントフレームのヨロイ部に受部を設けると共に該受部には磁石を取付け、前掛けフレームを該受部に載せて磁石にて吸着する構造と成っている。このように、従来の構造では前掛け式メガネのフロント部及び前掛けフレームに小さな磁石を取付けた形態となっている。
【０００７】
一方、磁石ではなく、前掛けフレームにカギを取付け、該カギを介してメガネのフロント部に係止することも出来る。しかし、カギをフロント部に係止するだけの取付け構造は簡単ではあるが、前掛けフレームは一般的に安定しない。
ところで、前記図１０に示すような前掛け式メガネの場合、フロント部（ハ）のヨロイ（ニ）、（ニ）に磁石（ホ）、（ホ）が取付けられ、前掛けフレーム（ロ）のヨロイ（ヘ）、（ヘ）にも磁石（ト）、（ト）が備わっている。その為に、前掛けフレームの位置ズレ防止対策が必要であると共に、磁石（ホ）、（ト）が表面化することで外観が損なわれる。
【０００８】
そこで、フロント部（ハ）の中央部に設けている連結部材（チ）と前掛けフレーム（ロ）の中央部に設けている連結部材（リ）に磁石を取付け、連結部材（チ）、（リ）同士が磁石を介して引き合うことで前掛けフレーム（ロ）をフロント部（ハ）に取付けるようにした前掛け式メガネが知られている。
特開２０１２−６８４６９号に係る「前掛け式眼鏡」は、本体眼鏡の見栄えを損なうことなく、本体眼鏡に対して補助眼鏡を簡易且つ確実に磁気吸着により取り付けることのできる前掛け式眼鏡である。
【０００９】
そこで、左右のレンズ部相互を第１の連結部で連結してなる本体眼鏡と、左右の補助レンズ部相互を第２の連結部で連結してなる補助眼鏡とを具える。第２の連結部は第１の連結部の下面に磁気吸着状態で着脱可能に取り付けられる。第１の連結部の下面に設けた一つの収容凹部に第１の磁石の１個が収容され、接着固定される。第２の連結部の上面には、第２の磁石の１個が設けられている。第１の磁石の下面が呈する水平な第１の磁性面と第２の磁石の上面が呈する水平な第２の磁性面とが面状に磁気吸着するように構成している。
【００１０】
この前掛け式メガネの場合、前記図１０を基にして説明するならば、フロント部（ハ）の連結部材（チ）の下側に前掛けフレーム（ロ）の連結部材（リ）が配置され、それぞれの連結部材（チ）、（リ）に取着した磁石を介して吸着されることで、前掛けフレーム（ロ）がフロント部（ハ）の正面に取付けられる。しかし、前掛けフレーム（ロ）はその位置決めが安定せず、激しい動きをする際には、前掛けフレーム（ロ）の自重で落下する虞もある。
【特許文献１】実用新案登録第３０８１２７１号に係る「めがね」
【特許文献２】特許第２９９７４１８号に係る「着脱眼鏡取付装置」
【特許文献３】特開２０１２−６８４６９号に係る「前掛け式眼鏡」
【考案の開示】
【考案が解決しようとする課題】
【００１１】
このように、前掛けフレームをメガネのフロント部に着脱可能に取付ける構造は色々知られているが、取付けられる前掛けフレームが所定の位置に正しく位置決めされると共に、激しい運動をしても外れ落ちないことが求められる。
本考案が解決しようとする課題はこの問題点であり、これらの要求を満たすことが出来、しかも簡単な構造で、ワンタッチで取付けられる前掛け式メガネを提供する。
【課題を解決するための手段】
【００１２】
本考案に係る前掛け式メガネは、その前掛けフレームがフロント部の正面に取付けられ、前掛けフレームの連結部材がフロント部の連結部材の上に載置される。フロント部の連結部材には磁石が取付けられ、該磁石面は連結部材の上面と面一と成っている。また前掛けフレームの連結部材にも磁石が取付けられ、これら磁石は互いに吸着するように成っている。ただし、何れか片方には磁石を取付けることなく磁性体とする場合もある。
【００１３】
そこで、フロント部の連結部材の上に前掛けフレームの連結部材が載置されることで、前掛けフレームはフロント部に取付けられるが、フロント部の連結部材に載る前掛けフレームの連結部材は互いに嵌合して位置ズレしないようになる。すなわち、凹部と凸部が形成されて互いに噛み合うことが出来る嵌合形態としている。ただし、上記凹部と凸部の具体的な形状は限定しないことにする。
【考案の効果】
【００１４】
本考案に係る前掛け式メガネは、前掛けフレームがメガネのフロント部正面に重なり合って取付けられる。この場合、前掛けフレームの連結部材がフロント部の連結部材の上に載置され、そして、各連結部材に取着した磁石を介して固定される。前掛けフレームは連結部材を介してフロント部の連結部材の上に載置されることで、前掛けフレームの重量はフロント部の連結部材にて支えられる。従って、前掛けフレームがその自重で落下することはない。
【００１５】
そして、連結部材には凹部と凸部が形成され、フロント部の連結部材に前掛けフレームの連結部材が載置されると共に凹部には凸部が嵌って噛み合うことで、正しく位置決めされる。従って、前掛けフレームの連結部材をフロント部の連結部材に置くだけで正しく位置決めされて載置され、しかも磁石によって外れることはなく、安定した取付けが出来る。
【図面の簡単な説明】
【００１６】
【図１】前掛けフレームを取付けるメガネの実施例。
【図２】フロント部中央に設けられる連結部材。
【図３】前掛けフレーム。
【図４】前掛けフレームの連結部材。
【図５】前掛けフレームをフロント部正面に取付けた本考案の前掛け式メガネ。
【図６】フロント部の連結部材の上に前掛けフレームの連結部材が載置されている状態。
【図７】前掛けフレームを取付けるメガネを示す他の実施例。
【図８】前掛けフレームを示す他の実施例。
【図９】前掛けフレームをフロント部正面に取付けた本考案の前掛け式メガネ。
【図１０】従来の前掛け式メガネ。
【考案を実施するための形態】
【００１７】
図１は前掛けフレームが取付けられるメガネ１を示す実施例であり、同図の２はフロント部、３はツル、４はレンズをそれぞれ表している。レンズ４はその上部がハーフリム５によって拘束されると共に、下側は高張力糸（水糸）にて保持されている。そして、レンズ４，４を取付けたハーフリム５，５は連結部材６によって連結され、該ハーフリム５，５の内側（連結部材側）には鼻当てパット７，７が取付けられることでフロント部２を構成している。ハーフリム５，５の外側にはヨロイ８，８がロウ付けされ、該ヨロイには蝶番９，９を介してツル３，３が折畳み出来るように取付けられている。
【００１８】
ところで、上記連結部材６には磁石１０が取付けられ、前掛けフレームをフロント部２の正面に重ね合せて取付けることが出来るようにしている。図２は連結部材６を示す拡大図であり、（ａ）は正面図、（ｂ）は平面図、（ｃ）は（ａ）のＡ−Ａ断面図である。連結部材６の両端にはハーフリム５，５がロウ付けされているが、該連結部材６はハーフリム５，５より正面側へ突出している。
【００１９】
また、連結部材６は上方へ突出した凸部１１を形成し、該凸部１１に形成した溝に磁石１０が嵌合し、磁石１０の上面は凸部１１の上面と面一化している。そして、凸部１１の側面１２，１２，１３，１３は傾斜し、その形状は角錐台形を成している。
【００２０】
図３は前掛けフレームを示す具体例であり、レンズ１７，１７が嵌っているリム１５，１５は連結部材１６によって左右対称に連結されている。図４は上記連結部材１６を示す拡大図であり、（ａ）は正面図、（ｂ）底面図、（ｃ）は（ａ）のＢ−Ｂ断面図を表している。連結部材１６の下面側には凹部１８を形成し、該凹部１８の底には溝が形成され、この溝に磁石１９が嵌合して取付けられている。そして、凹部底面２０は磁石１９の表面と面一と成っている。そして、連結部材１６は両側のリム１５，１５に対して背面側に突出し、凹部１８の側面２１，２１，２２，２２は傾斜し、下側が拡大した形状と成っている。
【００２１】
図５は本考案に係る前掛け式メガネを示す実施例であり、メガネ１のフロント部２の正面に前掛けフレーム１４を重ね合せて取付けた状態である。フロント部２の連結部材６の上に前掛けフレーム１４の連結部材１６が載置することで取付けることが出来る。すなわち、連結部材６に連結部材１６が載ることで正しく位置決めされ、しかも磁石１９は磁石１０に吸着することで固定される。
【００２２】
図６は連結部材６の上に連結部材１６が載置されている状態を示し、（ａ）は正面図、（ｂ）は平面図、（ｃ）は（ａ）のＣ−Ｃ断面図をそれぞれ表している。フロント部２の連結部材６の上に前掛けフレーム１４の連結部材１６が載置されるならば、該連結部材６の上部に形成した凸部１１は連結部材１６の下部に形成した凹部１８に嵌合する。この場合、凸部１１の四方に形成した側面１２，１２，１３，１３は傾斜し、同じく凹部１８の四方に形成した側面２１，２１，２２，２２も傾斜している為に、凸部１１は凹部１８に嵌り易い。
【００２３】
凹部１１が凹部１８に嵌るならば連結部材６に載った連結部材１６は正しく位置決めされ、同時に磁石１０と磁石１９は互いに吸着して連結部材１６が連結部材６から外れることはない。従って、前掛けフレーム１４はフロント部２の正面に正しくしかも安定して取付けられる。しかも、フロント部２の連結部材６は正面側が凸状と成っており、前掛けフレーム１４の連結部材１６は背面側が凸状と成っている為に、前掛けフレーム１４をフロント部２の正面に重ね合って取付ける場合に、連結部材６の凸部１１は連結部材１６の凹部１８と嵌合し易く成っている。
【００２４】
図７はフロント部２の形態を異にしたメガネ１を示す実施例である。該フロント部２はレンズ４が嵌ったリム２３，２３は連結部材６にて左右対称に連結され、該連結部材６は前掛けフレームの連結部材が載置されるように、前記図２に示す構造としている。
【００２５】
図８は前掛けフレーム１４を示す他の実施例である。この前掛けフレーム１４はリムを持たない縁なし型式であり、連結部材１６の両先端にレンズ１７，１７が取付けられている。そして、該連結部材１６は前記図４に示す場合と同じ構造としており、該連結部材１６はフロント部２の連結部材６の上に載置されることで前掛けフレーム１４が取付けられる。
【００２６】
そして、図９はフロント部２の正面に前掛けフレーム１４を重ね合せて取付けた場合の実施例である。このように、本考案ではフロント部２の連結部材６と前掛けフレーム１４の連結部材１６が互いに噛み合う凹部と凸部を有し、連結部材６と連結部材１６には磁石１０，１９を取付けている。ただし、何れか片方に磁石を取付けることなく磁性体とすることも出来る。
【００２７】
本考案では、互いに噛み合う凹部と凸部を形成すると共に、磁石にて互いに吸着するように両連結部材６，１６を構成することで、フロント部２の形態及び前掛けフレーム１４の形態が如何ようであっても本考案の前掛け式メガネを構成することが可能である。
【符号の説明】
【００２８】
１   メガネ
２   フロント部
３   ツル
４   レンズ
５   ハーフリム
６   連結部材
７   鼻当てパット
８   ヨロイ
９   蝶番
10   磁石
11   凸部
12   側面
13   側面
14   前掛けフレーム
15   リム
16   連結部材
17   レンズ
18   凹部
19   磁石
20   凹部底面
21   側面
22   側面
23   リム
【図１】
0003184596.tif 000003
【図２】
0003184596.tif 000004
【図３】
0003184596.tif 000005
【図４】
0003184596.tif 000006
【図５】
0003184596.tif 000007
【図６】
0003184596.tif 000008
【図７】
0003184596.tif 000009
【図８】
0003184596.tif 000010
【図９】
0003184596.tif 000011
【図１０】
0003184596.tif 000012